(57)【要約】  【課題】  簡単な構造で扉開閉時にラッチ音が発生することを防止でき、軽量で、扉への取付も容易に行うことができる文字合せ錠を提供する。  【解決手段】  ラッチ軸１４にて本体部２に回動可能に保持するラッチ部材３を、第１係合片１２ｃを有するラッチ板１２と、ラッチ板１２の長手方向にスライド可能で、ラッチ板１２の先端側から突出する第２係合片１３ｂを有するスライド板１３と、スライド板１３をラッチ板１２の先端側へ付勢するコイルスプリング１６とで構成する。第１係合片１２ｃと第２係合片１３ｂとの間に、受部材８ａを収容する収容部１５を形成する。扉体８の開閉時に、収容部１５は受部材８ａを収容した状態で本体部２の側面側から後端面側へ、又は、後端面側から側面側へ移動し、受部材８ａとの係止解除位置及び係止位置でラッチ部材３をロック部材６によって保持する。【選択図】  図１
2006249861.tif 000002
【特許請求の範囲】
【請求項１】
文字合せ錠本体部に設けたラッチ軸に回動可能に保持され、先端に設けた係合片が文字合せ錠本体部の一側面から突出して、扉体の受部材に係合するラッチ部材と、リターンスプリングの付勢力にて前記ラッチ部材の回動を規制するロック部材と、前記文字合せ錠本体部の前面に設けた解錠用の回転文字盤と、該回転文字盤と共に回転して前記ロック部材の移動を規制する回転板とを備えた文字合せ錠において、前記ラッチ部材は、前記ラッチ軸に回動可能に保持され、先端に第１係合片を備えた長板状のラッチ板と、該ラッチ板の長手方向にスライド可能に設けられ、先端に第２係合片を備えたスライド板と、該スライド板を前記ラッチ板の先端側へ付勢する付勢手段とを備え、前記第１係合片と前記第２係合片との間に、前記扉体の閉じ状態で、前記受部材を収容する収容部を形成し、解錠して前記扉体を開く時には、ラッチ部材が前記受部材を前記収容部に収容した状態で、前記文字合せ錠本体部の側面側から後端面側へラッチ軸を中心に回動してラッチ部材と受部材との係止を解除し、該係止解除位置で前記ロック部材によって前記ラッチ部材を保持し、前記扉体を閉じて施錠する時には、前記受部材を前記収容部に収容した状態で、前記ラッチ部材が前記文字合せ錠本体部の後端面側から側面側へラッチ軸を中心に回動して、前記ラッチ部材と前記受部材とを係止させ、該係止位置で前記ロック部材によって前記ラッチ部材を保持することを特徴とする文字合せ錠。
【請求項２】
前記文字合せ錠本体部と前記スライド板とを合成樹脂で形成したことを特徴とする請求項１記載の文字合せ錠。
【発明の詳細な説明】
【技術分野】
【０００１】
本発明は、文字合せ錠に関し、特に郵便受箱等の扉の錠装置として好適な文字合せ錠に関する。
【背景技術】
【０００２】
従来、文字合せ錠として、ラッチ板の中央部に形成した長孔をラッチ軸に係合させてラッチ板を回動可能に形成するとともに、文字合せ錠の前面側に回転文字盤を配設し、該回転文字盤を回転させて所定の符号に合せることにより解錠するものが知られている（例えば、特許文献１参照。）。
【０００３】
この文字合せ錠は、文字合せ錠本体部内に挿入された回転板と内筒とを、回転文字盤を備えた摘みと一体に回転可能に設け、内筒の外周に筒状の外リングを回転可能に配置し、内筒と外リングとには、ラッチ板の回動を許容する解錠溝がそれぞれ形成されている。
【０００４】
この文字合せ錠の解錠は、摘みを一方向に回転させることにより、回転板に外リングを係合させて、外リングを回転し、外リングの解錠溝を解錠位置に合わせ、次に摘みを逆転させて、内筒の解錠溝を解錠位置に合わせ、両解錠溝を一致させることにより、ラッチ板がラッチ軸を中心に回動できるようになり、ラッチ部を本体部内に没入させて、扉を開くことができる。
【０００５】
また、扉を閉じると、ラッチ板先端のラッチ部後面側の斜面が受部材で押圧されて、ラッチ板が長孔によりスライドしてラッチ部が本体部内に没入し、受部材を通過した後に、スプリングによりラッチ板が本体部から突出して受部材に係合し、施錠状態となる。
【０００６】
また、この文字合せ錠は、扉体に形成した装着孔に、前面側から文字合せ錠本体部を挿入し、文字合せ錠本体部の後方から挿通するスナップリングを係合させることによって扉体に取り付けられている。
【特許文献１】実公昭５９−２０５３３号公報
【発明の開示】
【発明が解決しようとする課題】
【０００７】
しかし、上述の文字合せ錠では、扉を開く際には、ラッチ板が回動して受部材から離れた時に、扉を閉じる際には、ラッチ板が本体部内に移動して受部材に係止する時に、それぞれラッチ音が発生していた。また、通常、文字合せ錠は金属で形成されることから重量が嵩んでいた。
【０００８】
そこで本発明は、簡単な構造で扉開閉時に発生するラッチ音を軽減させることができるとともに、軽量化を図ることのできる文字合せ錠を提供することを目的としている。
【課題を解決するための手段】
【０００９】
上記の目的を達成するため、本発明は、文字合せ錠本体部に設けたラッチ軸に回動可能に保持され、先端に設けた係合片が文字合せ錠本体部の一側面から突出して、扉体の受部材に係合するラッチ部材と、リターンスプリングの付勢力にて前記ラッチ部材の回動を規制するロック部材と、前記文字合せ錠本体部の前面に設けた解錠用の回転文字盤と、該回転文字盤と共に回転して前記ロック部材の移動を規制する回転板とを備えた文字合せ錠において、前記ラッチ部材は、前記ラッチ軸に回動可能に保持され、先端に第１係合片を備えた長板状のラッチ板と、該ラッチ板の長手方向にスライド可能に設けられ、先端に第２係合片を備えたスライド板と、該スライド板を前記ラッチ板の先端側へ付勢する付勢手段とを備え、前記第１係合片と前記第２係合片との間に、前記扉体の閉じ状態で、前記受部材を収容する収容部を形成し、解錠して前記扉体を開く時には、ラッチ部材が前記受部材を前記収容部に収容した状態で、前記文字合せ錠本体部の側面側から後端面側へラッチ軸を中心に回動してラッチ部材と受部材との係止を解除し、該係止解除位置で前記ロック部材によって前記ラッチ部材を保持し、前記扉体を閉じて施錠する時には、前記受部材を前記収容部に収容した状態で、前記ラッチ部材が前記文字合せ錠本体部の後端面側から側面側へラッチ軸を中心に回動して、前記ラッチ部材と前記受部材とを係止させ、該係止位置で前記ロック部材によって前記ラッチ部材を保持することを特徴とし、また、前記文字合せ錠本体部と前記スライド板とを合成樹脂で形成すると好適である。
【発明の効果】
【００１０】
上述の発明により、解錠して扉体を開く際に、扉体を開方向へ引くと、ラッチ部材の回動に伴って、ラッチ部材が前記受部材を前記収容部に収容した状態で、前記文字合せ錠本体部の側面側から後端面側へラッチ軸を中心に回動し、ラッチ部材と受部材との係止を解除して扉体を開くことができるとともに、この係止解除位置で前記ロック部材によって前記ラッチ部材が保持される。扉体を閉じる際には、扉体を閉方向へ押圧すれば、第２係合片の後面が前記受部材に当接して、前記受部材を前記収容部に収容した状態で、前記ラッチ部材が前記文字合せ錠本体部の後端面側から側面側へラッチ軸を中心に回動し、受部材に係止して施錠することができ、該係止位置で前記ロック部材によって前記ラッチ部材が保持される。従って、解錠時及び施錠時にラッチ音が発生しない。
【００１１】
また、文字合せ錠を扉体に取り付ける際に、第１係合片と第２係合片とを文字合せ錠本体部の後端面側から突出させておけば、第１係合片と第２係合片が邪魔になることがなく、文字合せ錠を容易に取り付けることができる。
【００１２】
さらに、文字合せ錠本体部と前記スライド板とを合成樹脂で形成することにより、文字合せ錠の軽量化を図ることができる。
【発明を実施するための最良の形態】
【００１３】
以下、本発明の一形態例を図面に基づいて詳しく説明する。図１は文字合せ錠の断面図、図２は図１のII-II断面図、図３は開動作時の文字合せ錠の断面図、図４は文字合せ錠の背面図、図５は文字合せ錠の正面図、図６はスライド板の突出状態を示すラッチ部材の断面図、図７はスライド板の収没状態を示すラッチ部材の断面図、図８はラッチ板の正面図、図９は図８のIX-IX断面図、図１０は図８のX-X断面図、図１１はラッチ部材の分解斜視図、図１２は扉の開閉状態とラッチ部材の回動状態を示す説明図である。
【００１４】
文字合せ錠１は、略円筒状の本体部２内にラッチ部材３と、第１回転板４，第２回転板５と、ロック部材６とを収納したもので、本体部２前面側のフランジ部２ａと、本体部２の後方から螺着されるナット７とで扉体８を挟んで、該扉体８に取付けられている。
【００１５】
上記本体部２は合成樹脂で形成され、その前面には、表面に数字や記号等の符号９ａが設けられた回転文字盤９が回動可能に取り付けられている。回転文字盤９の中心部分には、回転文字盤９と共に回動する合成樹脂製の摘み部１０が回動軸１１により回転可能に設けられ、前記摘み部１０と回動軸１１とはタッピング１１ａによって一体に連結されている。本体部２の一側面と後端面とには、ラッチ部材３の回動を許容するラッチ収容溝２ｂが連続して形成され、該ラッチ収容溝２ｂの一側面側端部と後端面側端部とには、ラッチ部材３の回動を規制する回り止め部２ｃ，２ｄがそれぞれ設けられている。また、回転板９を囲繞する本体部２の縁部には、符号合わせ用の指標２ｅが４箇所に設けられ、文字合せ錠１の取付位置や扉体８の開閉方向に応じて適宜選択して使用される。
【００１６】
ラッチ部材３は、長板状の金属製のラッチ板１２と、該ラッチ板１２の長手方向にスライド可能に取り付けられる合成樹脂製のスライド板１３とで構成されている。ラッチ板１２は、基端側に形成した軸孔１２ａに、本体部後部側に設けられたラッチ軸１４を挿通することによって、本体部２に回動可能に取り付けられ、前記軸孔１２ａの近傍から先端側に向けてスライド板収容凹部１２ｂが形成されるとともに、後部側に前記ラッチ収容溝２ｂから突出する第１係合片１２ｃが設けられている。
【００１７】
前記スライド板収容凹部１２ｂは、略長方形状に形成され、該スライド板収容凹部１２ｂと連続する前記第１係合片１２ｃの前部側面には、スライド板１３のスライドを規制する段部１２ｄ，１２ｄが形成されるとともに、前記第１係合片１２ｃと対向する前部側の先端部に、開口部１２ｅが形成されている。また、スライド板収容凹部１２ｂの略中央部分には、長手方向にスプリング収容溝１２ｆが設けられ、該スプリング収容溝１２ｆの基端部にスプリング受け片１２ｇが突設されている。さらに、ラッチ板１２の基端部には、前記ロック部材６の後端面６ａと当接する直線状のロック部材当接面１２ｈと、ラッチ部材３の回動に伴って前記ロック部材６の後端面６ａと摺接する円弧面１２ｉとが形成されている。
【００１８】
スライド板１３は、スライド板収容凹部１２ｂにスライド可能に収容されるスライド本体部１３ａと、該スライド本体部１３ａの先端側に突設され、前記開口部１２ｅから、前部側へ突出する第２係合片１３ｂを備えている。該第２係合片１３ｂは、第１係合片１２ｃと同様にラッチ収容溝２ｂから突出し、第１係合片１２ｃと第２係合片１３ｂとの間に、扉体８の受部材８ａを収容する収容部１５が形成される。スライド本体部１３ａは、中央部に、前記スプリング受け片１２ｇ及びコイルスプリング１６を収容可能な矩形のスプリング収容孔１３ｃが形成され、先端側には、前記段部１２ｄ，１２ｄに当接して、スライド本体部１３ａが前記スライド板収容凹部１２ｂから脱落することを防止する当接部１３ｄ，１３ｄが形成されている。
【００１９】
コイルスプリング１６は、一端をスプリング受け片１２ｇに、他端をスプリング収容孔１３ｃの先端側にそれぞれ当接させ、スライド本１３をラッチ板１２の先端側に付勢している。また、コイルスプリング１６をスプリング収容溝１２ｆ内に収容することにより、ラッチ板１２の厚さ内に納めることができる。
【００２０】
ロック部材６は、本体部２内に前後方向に摺動可能に設けられるもので、後端面６ａが前記ラッチ板１２のロック部材当接面１２ｈに当接するように、本体部２との間に配設されたリターンスプリング１７によって後方側に押圧されている。
【００２１】
ラッチ部材３とロック部材６とは、ラッチ部材３が前記ラッチ軸１４を中心として回動した時に、ラッチ板１２の円弧面１２ｉがロック部材６の後端面６ａを押圧して、ロック部材６を本体部２の前面側に移動させるように形成されている。ロック部材６には、一対のロック爪６ｂ，６ｃが形成され、施錠時にロック部材６がラッチ板１２に押圧されて本体部２の前面側に移動した際に、ロック爪６ｂ，６ｃの前面６ｄ，６ｅが略同時に両回転板４，５の後面４ａ，５ａにそれぞれ当接するようになっている。
【００２２】
一方、前記第１回転板４は、前記摘み部１０の回動軸１１の後端に固着され、摘み部１０の回転と共に一体に回転するもので、この第１回転板４には、複数の通孔４ｂが形成され、該通孔４ｂの一つに第２回転板５を回転させるための係合突子１８が嵌着されている。また第２回転板５は、上記回動軸１１に回転可能に軸支されており、第１回転板４側の面には前記第１回転板４に設けられた係合突子１８に係合する係合突起５ｂが設けられている。この第２回転板５は、第１回転板４が回転して係合突子１８が係合突起５ｂを押動することにより回転する。さらに、上記両回転板４，５の外周は、前記回転文字盤９の解錠用の符号９ａの数に合せた多角形に形成されており、本体部２内に配置された板ばね１９により自由回転が規制されている。そして両回転板４，５の外周には、前記ロック部材６のロック爪６ｂ，６ｃを挿通してロック部材６を本体部２前面側の解錠位置に移動可能とする解錠溝４ｃ，５ｃがそれぞれ形成されている。
【００２３】
以上のように構成された文字合せ錠１は、図１２（Ａ）に示されるように、ラッチ部材３を本体部２の後端面側に突出させた状態で、扉体８に形成した装着孔８ｂに挿通され、本体部２の後方から挿通するナット７を螺着して扉体８に取付けられる。
【００２４】
次に、文字合せ錠１を施錠、解錠する際の動作を説明する。図３に示されるように、扉体８を開いた状態において、ラッチ板１２は本体部２の後端面側に突出し、後部側面１２ｊが、ラッチ収容溝２ｂの後端面側端部の回り止め部２ｄに当接している。この状態では、両回転板４，５は、解錠溝４ｃ，５ｃがロック部材６のロック爪６ｂ，６ｃの位置と合っていて、これにより、ロック部材６が本体部２の前面側に移動可能な状態となっている。またラッチ板１２は、リターンスプリング１７の付勢力によって押圧されたロック部材６によって、回り止め部２ｄに当接した受部材８ａとの係止解除位置で保持されている。
【００２５】
図１２（Ａ）に示されるように、摘み部１０を押動して、扉体８を閉じていくと、第２係合片１３ｂの先端が扉体８の受部材８ａと当接し、第２係合片１３ｂが受部材８ａに押されてラッチ板１２が回動する。このときロック部材６は、ラッチ板１２のロック部材当接面１２ｈと円弧面１２ｉとの間の角部１２ｍに押されて、リターンスプリング１７の付勢力に抗して前部側へ移動する。
【００２６】
さらに扉体８を押し込むと、図１２（Ｂ）に示すように、収容部１５内に受部材８ａを収容した状態で、ラッチ部材３が本体部２の後端面側から一側面側にラッチ収容溝２ｂ内を回動する。このとき、スライド板１３は、ラッチ板１２にスライド可能に取り付けられていることから、開口部１２ｅからの第２係合片１３ｂの突出量が適宜調整され、収容部１５内に受部材８ａを収容した状態でラッチ部材３を良好に回動させることができる。
【００２７】
図１及び図１２（Ｃ）に示されるように、扉体８が完全に閉じられると、ラッチ板１２の前部側面１２ｋの先端側が、ラッチ収容溝２ｂの一側面側端部に形成した回り止め部２ｃに当接し、ロック部材６がリターンスプリング１７の付勢力によってロック部材当接面１２ｈを後部側に押圧し、ラッチ板１２を受部材８ａとの係止位置に保持する。
【００２８】
このように、本体部２の後方側に移動したロック部材６は、ロック爪６ｂ，６ｃが両回転板４，５の後面４ａ，５ａ側に位置した状態となる。そして前記摘み部１０を適当な位置に回転させて、両回転板４，５の解錠溝４ｃ，５ｃの少なくともいずれか一方をロック部材６のロック爪６ｂ，６ｃの位置からずらすことにより、扉体８を施錠することができる。即ち、解錠溝４ｃ，５ｃの位置がロック爪６ｂ，６ｃの位置とずれている時には、第１回転板４，第２回転板５の双方またはいずれか一方によりロック部材６の本体部２前面側への移動が規制され、ロック部材６によりラッチ板１２の回動が規制される。
【００２９】
この施錠状態で摘み部１０を回転させても、ロック部材６の両ロック爪６ｂ，６ｃが両回転板４，５の後面４ａ，５ａに略同時に当接するように形成されているため、いずれか一方のロック爪６ｂ，６ｃが両回転板４，５の後面４ａ，５ａに当接しているので、ロック爪６ｂ，６ｃが解錠溝４ｃ，５ｃ内に入り込んで回転板４，５を止めることがない。これにより、回転板４，５の解錠溝４ｃ，５ｃの位置を知ることができず、不正解錠が防止される。
【００３０】
施錠を解いて扉体８を開く際には、前記摘み部１０を所定の符号９ａの組合せで回転させて、両回転板４，５の解錠溝４ｃ，５ｃをロック部材６のロック爪６ｂ，６ｃの位置に合せる。これにより、ロック部材６が本体部２の前面側に移動可能な状態となり、ラッチ板１２の規制が解かれてラッチ板１２が回動可能となる。この状態で扉体８を手前に引くと、ラッチ板１２がラッチ軸１４を中心として回動し、扉体８を開くことができる。
【００３１】
上述のように、本形態例の文字合せ錠１は、施錠、解錠時には、収容部１５で受部材８ａを保持しながら、第１係合片１２ｃと第２係合片１３ｂとが回動し、ラッチ部材３がロック部材６に保持されるので、扉体８を開閉して施錠、解錠する際に、ラッチ音が発生することを防止できる。さらに、コイルスプリング１６をスプリング収容溝１２ｆ内に収容することにより、ラッチ板１２の厚さ内に納めることができるので、ラッチ板１２をスムーズに回転させることができるとともに、ラッチ部材３の本体部２への組み付け性も向上する。
【００３２】
また、文字合せ錠１を扉体８に取り付ける際には、第１係合片１２ｃと第２係合片１３ｂとを本体部２の後端面側に突出させておけば、これら第１係合片１２ｃと第２係合片１３ｂが邪魔になることがなく、容易に本体部２を扉体８の装着孔８ｂに挿通させ、本体部２の後方からナット７を挿通して螺着させることができる。さらに、本体部２，摘み部１０及びスライド板１３を合成樹脂で形成したことにより、文字合せ錠１の軽量化を図ることができる。
【図面の簡単な説明】
【００３３】
【図１】本発明の一形態例を示す文字合せ錠の断面図である。
【図２】図１のII-II断面図である。
【図３】開動作時の文字合せ錠の断面図である。
【図４】文字合せ錠の背面図である。
【図５】文字合せ錠の正面図である。
【図６】スライド板の突出状態を示すラッチ部材の断面図である。
【図７】スライド板の収没状態を示すラッチ部材の断面図である。
【図８】ラッチ板の正面図である。
【図９】図８のIX-IX断面図である。
【図１０】図８のX-X断面図である。
【図１１】ラッチ部材の分解斜視図である。
【図１２】扉体の開閉状態とラッチ部材の回動状態を示す説明図である。
【符号の説明】
【００３４】
１…文字合せ錠、２…本体部、２ａ…フランジ部、２ｂ…ラッチ収容溝、２ｃ，２ｄ…回り止め部、２ｅ…指標、３…ラッチ部材、４…第１回転板、５…第２回転板、４ａ，５ａ…後面、４ｃ，５ｃ…解錠溝、６…ロック部材、６ａ…後端面、６ｂ，６ｃ…ロック爪、６ｄ，６ｅ…前面、７…ナット、８…扉体、８ａ…受部材、９…回転文字盤、１０…摘み部、１１…回動軸、１２…ラッチ板、１２ａ…軸孔、１２ｂ…スライド板収容凹部、１２ｃ…第１係合片、１２ｄ…段部、１２ｅ…開口部、１２ｆ…スプリング収容溝、１２ｇ…スプリング受け片、１２ｈ…ロック部材当接面、１２ｉ…円弧面、１２ｊ…後部側面、１２ｋ…前部側面、１２ｍ…角部、１３…スライド板、１３ａ…スライド本体部、１３ｂ…第２係合片、１３ｃ…スプリング収容孔、１４…ラッチ軸、１５…収容部、１６…コイルスプリング、１７…リターンスプリング
【図１】
2006249861.tif 000003
【図２】
2006249861.tif 000004
【図３】
2006249861.tif 000005
【図４】
2006249861.tif 000006
【図５】
2006249861.tif 000007
【図６】
2006249861.tif 000008
【図７】
2006249861.tif 000009
【図８】
2006249861.tif 000010
【図９】
2006249861.tif 000011
【図１０】
2006249861.tif 000012
【図１１】
2006249861.tif 000013
【図１２】
2006249861.tif 000014